(57)【特許請求の範囲】
【請求項１】
先端に開口を有する筒体と、該筒体に内蔵される移動機構と、該筒体の下部に回動可能に係合される短筒状の操作体を備え、該移動機構が、棒状化粧料を配置するための中皿部と、上昇することで該中皿部を押し上げて棒状化粧料の先端を該開口から繰り出させる筒状の押し上げ部と、該操作体を一方向に回動することで該押し上げ部を上昇させる上昇機構部を有するとともに、周方向に沿って形成される山形の一方が実質的に垂直面であり他方が傾斜面である複数のラチェット歯が一端部に配設されるラチェットバネと、該ラチェット歯に係合する複数の爪からなるラチェット機構をさらに有し、該ラチェット機構が該操作体の回動により作用するように構成されてなる棒状化粧料繰り出し容器において、
該ラチェット歯および該爪の数がそれぞれ同数の３〜６つであることを特徴とする棒状化粧料繰り出し容器。
【請求項２】
前記ラチェット歯の山形の傾斜面が、山形の頂部から延出する第一の傾斜面部と、該第一の傾斜面部に連なって延出する、第一の傾斜面部より傾斜角度の小さい第二の傾斜面部で構成されてなることを特徴とする請求項１記載の棒状化粧料繰り出し容器。
【請求項３】
前記上昇機構部が、前記操作体の内底面中央に突設され、前記押し上げ部に内挿される軸部と、該押し上げ部を該軸部に係合して該押し上げ部の回動を規制する回動規制部と、前記筒体に固定される固定部および該押し上げ部に設けられる螺合部を有し、該操作体の回動により該軸部が該操作体と一体となって回動し、該固定部に螺合する該押し上げ部が上昇するように構成されてなることを特徴とする請求項１記載の棒状化粧料繰り出し容器。
【請求項４】
前記筒体の前記開口が斜面状に形成されてなることを特徴とする請求項１記載の棒状化粧料繰り出し容器。
【発明の詳細な説明】
【技術分野】
【０００１】
本発明は、棒状化粧料繰り出し容器に関する。
【背景技術】
【０００２】
口紅等の棒状化粧料は、繰り出し容器（以下、これを棒状化粧料繰り出し容器ということがある。）に収容して用いられる。
棒状化粧料繰り出し容器は、棒状化粧料が配置される中皿と、この中皿を移動可能に内蔵するとともに先端部に棒状化粧料を繰り出す開口が形成される筒体（スリーブ）と、筒体に対して中皿を昇降動作することにより棒状化粧料の繰り出し操作および繰り込み操作を行う移動機構を有するように構成される。
【０００３】
従来の棒状化粧料は、直径が比較的大きなものであり、この大径の棒状化粧料を筒体の開口から長く繰り出し、唇等の塗布部に塗布している。
ところが、このような大径の棒状化粧料では、輪郭を明確に描くことが難しく、特に、経時的な使用により棒状化粧料の先端が丸まってしまうと、この不具合は顕著になる。また、棒状化粧料を筒体の開口から長く繰り出すために、使用時に棒状化粧料が折れてしまうおそれもある。
【０００４】
この不具合を改善するために、直径の小さな棒状化粧料を、直径の小さな筒体に収容し、さらにこのとき、筒体の開口を傾斜面とした棒状化粧料繰り出し容器が提案されている（特許文献１参照）。ここで、筒体の開口を傾斜面とするのは、使用者が棒状化粧料繰り出し容器を把持した腕を大きく曲げることなく棒状化粧料の塗布を行うことができるようにするためとされている。
また、上記棒状化粧料繰り出し容器において、直径の小さな棒状化粧料を繰り込むときに生じうる棒状化粧料の折れを防止するために、筒状部の回動方向を繰り出し方向のみに規制するための、例えば８つ以上の多数のラチェット歯とこれらの歯に対応して設けられる多数の爪とを備えたラチェット機構を筒体の長手方向中央近傍に設けることが開示されている。そして、このラチェット機構の存在により、移動機構操作時にクリック感を得ることができて好ましいとされている。
【特許文献１】特開２００６−１５８７７７号公報
【発明の開示】
【発明が解決しようとする課題】
【０００５】
しかしながら、上記特許文献１の棒状化粧料繰り出し容器は、良好なクリック感を得るうえでは必ずしも十分ではないものと思われる。
【０００６】
本発明は、上記の課題に鑑みてなされたものであり、より良好なクリック感を得ることができる棒状化粧料繰り出し容器を提供することを目的とする。
【課題を解決するための手段】
【０００７】
本発明に係る棒状化粧料繰り出し容器は、先端に開口を有する筒体と、該筒体に内蔵される移動機構と、該筒体の下部に回動可能に係合される短筒状の操作体を備え、該移動機構が、棒状化粧料を配置するための中皿部と、上昇することで該中皿部を押し上げて棒状化粧料の先端を該開口から繰り出させる筒状の押し上げ部と、該操作体を一方向に回動することで該押し上げ部を上昇させる上昇機構部を有するとともに、周方向に沿って形成される山形の一方が実質的に垂直面であり他方が傾斜面である複数のラチェット歯が一端部に配設されるラチェットバネと、該ラチェット歯に係合する複数の爪からなるラチェット機構をさらに有し、該ラチェット機構が該操作体の回動により作用するように構成されてなる棒状化粧料繰り出し容器において、
該ラチェット歯および該爪の数がそれぞれ同数の３〜６つであることを特徴とする。
【０００８】
また、本発明に係る棒状化粧料繰り出し容器は、好ましくは、前記ラチェット歯の山形の傾斜面が、山形の頂部から延出する第一の傾斜面部と、該第一の傾斜面部に連なって延出する、第一の傾斜面部より傾斜角度の小さい第二の傾斜面部で構成されてなることを特徴とする。
【０００９】
また、本発明に係る棒状化粧料繰り出し容器は、好ましくは、前記上昇機構部が、前記操作体の内底面中央に突設され、前記押し上げ部に内挿される軸部と、該押し上げ部を該軸部に係合して該押し上げ部の回動を規制する回動規制部と、前記筒体に固定される固定部および該押し上げ部に設けられる螺合部を有し、該操作体の回動により該軸部が該操作体と一体となって回動し、該固定部に螺合する該押し上げ部が上昇するように構成されてなることを特徴とする。
【００１０】
また、本発明に係る棒状化粧料繰り出し容器は、好ましくは、前記筒体の前記開口が斜面状に形成されてなることを特徴とする。
【発明の効果】
【００１１】
本発明に係る棒状化粧料繰り出し容器は、ラチェット歯および爪の数が従来のものよりも少ないそれぞれ同数の３〜６つであるラチェット機構を有するため、操作体を操作して棒状化粧料を繰り出すときに緩急あるいはメリハリのある良好なクリック感を得ることができる。
【発明を実施するための最良の形態】
【００１２】
本発明の実施の形態（以下、本実施の形態という。）について、棒状化粧料として、径の小さな口紅を用いる場合を例に以下に説明する。なお、棒状化粧料は口紅に限定されるものではなく、例えば、アイシャドー、リップクリーム、コンシーラー等を用いることができる。
【００１３】
本実施の形態に係る棒状化粧料繰り出し容器（以下、これを単に繰り出し容器ということがある。）について、図１〜図６を参照して説明する。
【００１４】
図１は、繰り出し容器１０の断面図である。図１中、中心線Ａより右側は未使用の棒状化粧料が完全に繰り出し容器１０の内部に収容されるときの各部材の配置状態を示し、中心線Ａより左側は棒状化粧料が使用により漸次消耗するのに伴い最終的に棒状化粧料を全て繰り出すときの各部材の配置状態を示す。なお、図１中、上方の二点鎖線部は、繰り出し容器１０からわずかに繰り出された棒状化粧料を示す。
【００１５】
繰り出し容器１０は、先端に開口１１を有する筒体１２と、筒体１２に内蔵される移動機構１４と、筒体１２の下部に設けられる短筒状の操作体１６を備える。
筒体１２は、好ましくは、開口１１が斜面状に形成される。筒体１２の長手方向中間部分の内面には環状のねじ部材（固定部）１８が固着され、ねじ部材１８の筒状部１８ａの内面に雌ねじ１８ｂが設けられる。また、筒体１２のねじ部材１８の下方には筒体１２の周方向に複数の縦溝２１が形成される。また、筒体１２は、内面下部が段差状に大きな内径に形成され、その大きな内径を有する段差部１２ａに突起１９が設けられる。
【００１６】
移動機構１４は、中皿部２０と、押し上げ部２２と、上昇機構部を有する。
中皿部２０は、棒状化粧料を配置するためのものであり、皿部分２０ａと、皿部分２０ａの外周に脚状に設けられ、上下方向に延出し内側に向けて凹状に形成される環部２０ｂで構成される。環部２０ｂは筒体１２の内面に摺接する。
押し上げ部２２は、上昇することで中皿部２０を押し上げて棒状化粧料の先端を開口１１から繰り出させるためのものであり、上下方向（繰り出し容器１０の中心線Ａ方向）に延出する中空筒状に形成される。押し上げ部２２は、中皿部２０が押し上げ部２２に対して回転可能なように、上端部が中皿部２０に摺接、係合されるとともに、押し上げ部２２の外周には長さ方向のほぼ全体にわたって雄ねじ２２ａが設けられる。繰り出し容器１０組み立て状態において、雌ねじ１８ｂは押し上げ部２２の雄ねじ２２ａに螺合する。すなわち、ねじ部材１８の雌ねじ１８ｂと押し上げ部２２の雄ねじ２２ａは、本実施の形態の螺合部を構成する。一方、押し上げ部２２の内面下部には上下方向に延出する突条部２２ｂが押し上げ部２２の内面周方向に複数設けられる。  
【００１７】
操作体１６について、図２の操作体１６の斜視断面図および図３の操作体１６の平面図をさらに参照して説明する。
操作体１６の底面２８の周縁に立設される筒状部３０の先端に先筒３０ａが段差状に形成され、先筒３０ａの外周には周回溝３０ｂが設けられる。操作体１６は、筒体１２の段差部１２ａに緩挿されると、先筒３０ａの上端部が筒体１２の段差面に当接して図１中上方向への動きが規制されるとともに、先筒３０ａの周回溝３０ｂに筒体１２の突起１９が係合することで操作体１６が回動可能となる。
操作体１６の内底面中央には軸部２４が突設される。軸部２４の外周には上下方向に延出する溝２６が周方向に複数設けられる。押し上げ部２２に軸部２４が内挿されることにより溝２６に押し上げ部２２の突条部２２ｂが係合し、押し上げ部２２が回動することが規制される。すなわち、押し上げ部２２の突条部２２ｂと軸部２４の溝２６で本実施の形態の回動規制部、言い換えれば、押し上げ部２２の回り止めが構成される。
上記回動規制部、軸部２４および螺合部で本実施の形態の上昇機構部が構成される。
【００１８】
繰り出し容器１０は、操作体１６の回動によって作用するラチェット機構をさらに有する。
図４のラチェットばねの斜視図を図および図５のラチェットばねの部分平面図をさらに参照してラチェット機構について説明する。
操作体１６の筒状部３０の内壁に、等間隔に離間して内底面上に４つの突起（爪）３２が設けられる。突起３２の頂部の一方向にアール（図３中、矢印Ｒで示す。）が設けられる。
また、繰り出し容器１０は、押し上げ部２２と筒体１２の間に配置されるラチェットバネ３４を有する。ラチェットバネ３４は、コイルばね状に形成されるばね本体３６の一端側に、等間隔に離間して４つのラチェット歯３８を有する。ラチェット歯３８は、ラチェットバネ３４の周方向に沿って形成される山形の一方の傾斜面（稜線）４２が実質的に垂直面であり、他方の傾斜面（稜線）４４がなだらかな傾斜面状に形成される。この場合、傾斜面４４は、山形の頂部から延出する傾斜角（傾斜角度）θ１の第一の傾斜面部４４ａと、第一の傾斜面部４４ａに連なって延出する、第一の傾斜面部４４ａより傾斜角度の小さい傾斜角（傾斜角度）θ２の第二の傾斜面部４４ｂで構成される。ただし、これに限らず、傾斜面４４を単一の傾斜角を持つ傾斜面に形成してもよい。また、第二の傾斜面部４４ｂの傾斜角θ２を実質的に０度としてもよい。
ラチェットバネ３４のラチェット歯３８の設けられる側とは反対の端部の外周に複数の突起４０が設けられる。繰り出し容器１０組み立て状態において、ラチェットバネ３４は、ラチェット歯３８が形成される側を操作体１６の突起３２に係合するように配置され、これにより、ラチェットバネ３４が操作体１６の突起３２と筒体１２のねじ部材１８の間に挟持されるとともに、突起４０が筒体１２の縦溝２１に係合することで、ラチェットバネ３４の回動が規制される。
なお、例えば筒体１２の直径が１３ｍｍ程度の繰り出し容器１０の場合、ラチェット歯３８の高さ（図５中，Ｈで示す。）を少なくとも１．５ｍｍ以上とし、隣り合うラチェット歯３８の頂部間の距離を少なくとも３ｍｍ以上とすることが好ましい。また、ラチェット歯３８およびこれに対応する突起（爪）３２の数は、４つに限ることなくそれぞれ同数の３〜６つのなかから適宜選択することができる。ただし、ラチェット歯３８およびこれに対応する突起（爪）３２を操作体１６の底面（内底面）近傍に設けるものである限り、ラチェット歯３８およびこれに対応する突起（爪）３２の数を７つ以上とすることを排除するものではない。
【００１９】
上記のように構成される繰り出し容器１０は、例えば、以下の要領で組み立てられる。
中皿部２０を配置した押し上げ部２２にねじ部材１８の設けられた筒体１２を外嵌し、雄ねじ２２ａの上端部分をねじ部材１８の雌ねじ１８ｂに係合して押し上げ部２２にねじ部材１８を取り付ける。
ついで、筒体１２の開口１１が設けられる側とは反対側から、突起４０が筒体１２の縦溝２１に係合するようにラチェットバネ３４を筒体１２と押し上げ部２２との間に挿入する。
ついで、押し上げ部２２の突条部２２ｂが軸部２４の溝２６に係合するようにして操作体１６を筒体１２に挿入する。そして、先筒３０ａの上端部を筒体１２の段差面に当接させるとともに、先筒３０ａの周回溝３０ｂに筒体１２の突起１９を係合して、筒体１２に操作体１６を取り付ける。この状態で、操作体１６の底面（内底面）２８近傍において突起３２がラチェットバネ３４のラチェット歯３８に係合する。
このようにして組み立てられる繰り出し容器１０の開口１１から棒状化粧料を挿入し、棒状化粧料の下端部を中皿部２０に突き当てる状態で棒状化粧料が繰り出し容器１０に収容される。
なお、例えば、筒体１２を半割状の２つの半体に形成しておくことも、組み立て作業上便宜である。
【００２０】
繰り出し容器１０の動作を説明する。
筒体１２を手指で把持した状態で、他の手指で操作体１６を図３および図４中矢印Ｘ方向に回転（回動）させると、操作体１６の軸部２４がＸ方向に回動し、軸部２４に係合、固定される押し上げ部２２が回動する。このとき、押し上げ部２２は、螺合部の作用により、ねじ部材１８に係合して開口１１方向に向けて回動しながら上昇する。これにより、押し上げ部２２に摺接する中皿部２０が上昇することで、中皿部２０に載置される棒状化粧料は回動することなく先端が開口１１から繰り出される。
一方、操作体１６を回転させるとき、筒体１２によって回動を規制されたラチェットバネ３４のラチェット歯３８に係合する操作体１６の突起３２が、突起３２のアールＲ部分をラチェット歯３８に摺接しながらラチェット歯３８の傾斜面４４の第二の傾斜面部４４ｂから第一の傾斜面部４４ａへ移動し、さらにラチェット歯３８の頂部を乗り越えて傾斜面４２に移動することで、操作体１６を操作する手指にクリック感が与えられる。
このとき、ラチェット歯３８と突起３２の係合部が操作体１６の底面２８の近傍に設けられているため、ラチェット歯３８と突起３２の係合部が操作体１６から離間した位置に設けられたものに比べて、より良好なクリック感を得ることができる。また、操作体１６を操作する手指には、突起３２がいわば遊び部である第二の傾斜面部４４ｂの上を移動するときにはわずかな抵抗力が作用し、ついで突起３２が第一の傾斜面部４４ａの上を移動するときに相対的に大きな抵抗力が作用し、ついでラチェット歯３８の頂部を乗り越えて傾斜面４２に移動するときに抵抗力が瞬時に解消するため、より明瞭で、緩急あるいはメリハリのある良好なクリック感を得ることができる。
なお、傾斜面４２は実質的に垂直壁面状に形成されているため、操作体１６をＸ方向とは逆方向に回転させる力を操作体１６に加えても、突起３２がラチェット歯３８の頂部を乗り越えることができず、回転が阻止される。これにより、開口１１から露出した棒状化粧料が繰り出し容器１０の内部に繰り込まれることが防止され、繰り込まれることによって生じうる棒状化粧料の折損等の不具合を避けることができる。
また、ラチェット歯３８の数を６つを超える例えば８つ以上の多数個設けた場合、１回の操作で棒状化粧料を所定量繰り出すときに、カチカチカチという多数回のクリック音を含むクリック感を生じることにより、使用者によってはわずらわしく感じられるおそれがある。このことは、１回当たりの繰り出し量が多いために操作体１６の回転量あるいは回転角が大きくなる、太径の棒状化粧料において、より顕著になるものと思われる。これに対して、本実施の形態では好ましくはラチェット歯３８の数を６つ以下とするため、このような心配が軽減され、良好なクリック感を得ることができる。
【００２１】
以上説明した本実施の形態に係る繰り出し容器１０において、操作体の回動によって作用するラチェット機構は、ラチェット歯を操作体に向けて配設するラチェットバネと、操作体の内底面上に設けられ、内底面近傍でラチェット歯に係合する爪とで構成されているが、これに代えて、例えばラチェット歯を上端部に配設するラチェットバネを操作体に係合、固定するとともに、ねじ部材の下面にラチェット歯と係合する爪を設ける構成としてもよい。
また、繰り出し容器１０において、上昇機構部の軸部、回動規制部、固定部および螺合部は、本実施の形態例のものに限定されず、本発明の機能を奏するものであり限り、適宜の構造的な連結関係とすることができる。
【００２２】
なお、図６に示すように、ラチェット歯の変形例として、ラチェット歯３８ａの第一の傾斜面部４６ａおよび第二の傾斜面部４６ｂのうちの第一の傾斜面部４６ａを傾斜角の異なる２つの傾斜面領域４８ａ、４８ｂに形成して、傾斜面領域４８ｂの傾斜角θ３を上記の傾斜角θ１よりも大きく取ることも好適である。このとき、好ましくは、第一の傾斜面部４６ａおよび第二の傾斜面部４６ｂが連なる部分および２つの傾斜面領域４８ａ、４８ｂが連なる部分をそれぞれアール状に形成する。変形例に係るラチェット歯３８ａを用いることにより、より良好なクリック感を得ることができる。
【図面の簡単な説明】
【００２３】
【図１】本実施の形態に係る繰り出し容器の断面図である。
【図２】本実施の形態に係る繰り出し容器の操作体の斜視断面図である。
【図３】本実施の形態に係る繰り出し容器の操作体の平面図である。
【図４】本実施の形態に係る繰り出し容器のラチェットばねの斜視図である。
【図５】本実施の形態に係る繰り出し容器のラチェットばねの部分平面図である。
【図６】変形例に係るラチェット歯を説明するための、ラチェットばねの部分平面図である。
【符号の説明】
【００２４】
１０  繰り出し容器
１２  筒体
１２ａ  段差部
１４  移動機構
１６  操作体
１８  ねじ部材
１８ａ  筒状部
１８ｂ  雌ねじ
１９  突起
２０  中皿部
２０ａ  皿部分
２０ｂ  環部
２２  押し上げ部
２２ａ  雄ねじ
２２ｂ  突条部
２４  軸部
２６  溝
２８  底面
３０  筒状部
３０ａ  先筒
３０ｂ  周回溝
３２、４０  突起
３４  ラチェットバネ
３６  ばね本体
３８、３８ａ  ラチェット歯
４２、４４  傾斜面
４４ａ、４６ａ  第一の傾斜面部
４４ｂ、４６ｂ  第二の傾斜面部
４８ａ、４８ｂ  傾斜面領域
【図１】
0005088948.tif 000002
【図２】
0005088948.tif 000003
【図３】
0005088948.tif 000004
【図４】
0005088948.tif 000005
【図５】
0005088948.tif 000006
【図６】
0005088948.tif 000007